(57)【要約】【課題】ＩＤパターンによる認証により施解錠を行い、信頼性の高い施解錠装置を提供する。【解決手段】少なくとも、光スイッチ部と該光スイッチ部を制御するＩＣ部とを内蔵したキーと、発光部、受光部、認識部、施解錠動作部を有する本体から構成される施解錠装置であって、前記キーが前記本体の挿入部に挿入されることにより発光する発光部と、前記発光部からの入射光を前記ＩＣ部にあらかじめ記録されたＩＤパターンに応じて反射させる光スイッチ部と、前記光スイッチ部の動作により反射された反射光を受光する受光部と、前記受光部で受光したパターンが前記本体にあらかじめ定められたＩＤパターンと一致するか否かを認識する認識部と、前記認識部での認識結果に応じて前記本体の施解錠を行う施解錠動作部とで構成したことを特徴とする。【選択図】      図１
2004293237.tif 000002
【特許請求の範囲】
【請求項１】
少なくとも、光スイッチ部と該光スイッチ部を制御するＩＣ部とを内蔵したキーと、発光部、受光部、認識部、施解錠動作部を有する本体から構成される施解錠装置であって、
前記キーが前記本体の挿入部に挿入されることにより発光する発光部と、
前記発光部からの入射光を前記ＩＣ部にあらかじめ記録されたＩＤパターンに応じて反射させる光スイッチ部と、
前記光スイッチ部の動作により反射された反射光を受光する受光部と、
前記受光部で受光したパターンが前記本体にあらかじめ定められたＩＤパターンと一致するか否かを認識する認識部と、
前記認識部での認識結果に応じて前記本体の施解錠を行う施解錠動作部とで構成したことを特徴とする施解錠装置。
【請求項２】
前記認識部の認識結果が一致した場合、本体のＩＤパターンが変更され、さらに前記キーのＩＣ部に記録されたＩＤパターンも同時に変更した後、解錠することを特徴とする請求項１記載の施解錠装置。
【請求項３】
前記本体認識部の認識結果が不一致の場合、キー挿入部一帯を画像におさめるカメラ部を備えたことを特徴とする請求項１記載の施解錠装置。
【発明の詳細な説明】
【０００１】
【発明の属する技術分野】
本発明は、施解錠装置に関する。
【０００２】
【従来の技術】
一般家庭のドアの施錠・解錠や自動車等の車両用ドアの施錠・解錠に電気錠を用いた施解錠装置が用いられている。
【０００３】
例えば、車両用のドアの施解錠においてはドアキーをドア錠に差し込んで直接操作する煩わしさを軽減するため、自動的に施錠・解錠するキーレス・エントリー装置がある。前記装置は、子機（送信機）が常に電磁波を送信し、ＩＤパターンを乗せて子機から送信される電磁波を親機（車両）側で受信している。親機で受信した電磁波強度が所定レベルよりも大きく、かつ子機からのＩＤパターンが一致している場合にはドア錠を解錠し、所定レベル以下の場合にはドアを施錠するようにしたものである。（例えば、特許文献１参照）
【０００４】
【特許文献１】
特開平９−４２９３号（第２頁、第３図）
【０００５】
【発明が解決しようとする課題】
しかし、従来の装置はＩＤパターンの送受信に電磁波を使用しているため、他からの強力な海賊電波等により誤作動してしまう可能性があった。また、電磁波により、使用者が身につけている腕時計や携帯電話等の他の電子装置に悪影響を与えてしまうという問題がある。
【０００６】
本発明は、電磁波を使用せずＩＤパターンによる認証により施解錠を行い、信頼性の高い施解錠装置を提供しようとするものである。
【０００７】
【課題を解決するための手段】
少なくとも、光スイッチ部と該光スイッチ部を制御するＩＣ部とを内蔵したキーと、発光部、受光部、認識部、施解錠動作部を有する本体から構成される施解錠装置であって、前記キーが前記本体の挿入部に挿入されることにより発光する発光部と、前記発光部からの入射光を前記ＩＣ部にあらかじめ記録されたＩＤパターンに応じて反射させる光スイッチ部と、前記光スイッチ部の動作により反射された反射光を受光する受光部と、前記受光部で受光したパターンが前記本体にあらかじめ定められたＩＤパターンと一致するか否かを認識する認識部と、前記認識部での認識結果に応じて前記本体の施解錠を行う施解錠動作部とで構成したことを特徴とする。
【０００８】
前記認識部の認識結果が一致した場合、本体のＩＤパターンが変更され、さらに前記キーのＩＣ部に記録されたＩＤパターンも同時に変更した後、解錠することを特徴とする。
【０００９】
前記本体認識部の認識結果が不一致の場合、キー挿入部一帯を画像におさめるカメラ部を備えたことを特徴とする。
【００１０】
【発明の実施の形態】
本発明の一実施形態を図面に基づいて説明する。図１は本発明の施解錠装置の構成を示す図である。１は装置本体であり、２はキーである。装置本体１には接点電極部３、接点電極部４とキー挿入口５を有するシリンダ錠６が設けられている。７は発光部で８は受光部である。発光部７としては、例えば発光ダイオード、レーザー、ランプ、ＥＬなどを用いることができるがこれに限定されるものではない。また、受光部８には、フォトダイオード、固体受光センサなどを用いることができる。９は受光部８からの信号を増幅するためのアンプである。１０は認識部でＩＣ部１１にあらかじめ記録されているＩＤパターンと受光部８で受光したＩＤパターンの照合を行うものである。１２は認識部１０の認識結果に基づき動作する施解錠動作部で、デッドボルト１３を動作させ施解錠を行うものである。
【００１１】
次に、図１に示したキー２の詳細な構成について説明する。図２は本発明の施解錠装置のキーの断面図で、（ａ）は光スイッチ部が非動作状態の図、（ｂ）は光スイッチ部が動作状態の図である。キー２にはＩＣ部１４と、光スイッチ部１５が内蔵されている。前記光スイッチ部１５は、例えば半導体により小型に製作されたアクチュエータ等を用いることができる。さらに、装置本体１の発光部７からの光Ａの経路となる入射光路１６と光スイッチ部１５が動作することにより反射された光Ａの経路となる反射光路１７を有した構成である。また、キー２は装置本体１との接点電極部１８、１９を備えている。前記接点電極部１８、１９を介して装置本体１からの信号を受けたり、電源供給されることが可能な構成である。
【００１２】
つづいて本発明の施解錠装置の動作について説明する。キー２をシリンダ錠６のキー挿入口５に挿入すると、シリンダ錠６の接点電極部３とキー２の接点電極部１８、シリンダ錠６の接点電極部４とキー２の接点電極部１９とがそれぞれ接触し、通電状態となりキー２が装置本体１に挿入されたことが検知される。キー２の挿入が装置本体１で検知されるとキー２の入射光路１６上に配置された発光部７が点灯し、その光Ａが入射光路１６を通りキー２内部の光スイッチ部１５に入射する。光スイッチ部１５はＩＣ部１４にあらかじめ記録されたＩＤパターンに応じて動作するものである。前記光スイッチ部１５が動作した場合、図２（ｂ）に示すように、光Ａは光スイッチ部１５の反射面で反射し、さらに反射光路１７の反射部１７ａで反射して装置本体１側へ戻される。前記反射した光Ａは反射光路１７上にある受光部８にて受光され、アンプ９にて増幅された後、認識部１０にてＩＤパターンの照合が行われる。ここで、装置本体１のＩＣ部１１にあらかじめ定められたＩＤパターンとキー２のからの反射光のＩＤパターンが一致した場合、施解錠動作部１２が動作しデッドボルト１３によるロックが解除され、解錠がおこなわれる。逆に施錠動作する場合も前記構成により動作が行われる。
【００１３】
また、装置本体１のＩＣ部１１にあらかじめ記録されているＩＤパターンとキー２のからの反射光のＩＤパターンが一致した場合、ＩＣ部１１で新たなＩＤパターンを設定して書き換え、さらに装置本体１の接点電極部４、キー２の接点電極１９を介してキー２内のＩＣ部１４に記録されているＩＤパターンも同様に書き換えた後、施解錠動作部１２を作動する構成とすることも可能である。該構成によりセキュリティー性がさらに向上する。
【００１４】
図３は、ＩＤパターンの信号例を示す図である。実際のＩＤパターンの範囲を明確にするために、スタートビットパターン、ストップビットパターンが定義されている。前記キー２が前記キー挿入口５に挿入されると、前記装置本体１の発光部７は発光を開始し、前記キー２の光スイッチ部１５はＩＤパターン認証を開始する。この時、まず前記発光部７からの光を一定期間反射する。反射された光は前記受光部８にて受光され、前記認識部１０はスタートビットパターンとして認識し、前記スタートビットパターン認識後実際のＩＤパターンの認識を開始する。また、キー２の光スイッチ部１５は、前記発光部７からの光を一定期間反射した後にあらかじめ記録されたＩＤパターンにそって動作して反射・非反射を繰り返す。前記受光部８は前記光スイッチ部１５からの反射光を受光し、認識部１０はＩＤパターンの照合を行う。光スイッチ部１５はあらかじめ記録されたＩＤパターンに沿った動作を終了すると、ストップビットパターンとして前記発光部７からの光を一定期間反射し、前記受光部８は前記光スイッチ部１５からの反射光を受光し、認識部１０は前記反射光をストップビットパターンとして認識した時点で認識を終了する。
【００１５】
なお、発光部７はキー２の挿入を認識した時点から認識部１０での認識が終了するまでの間は発光状態を維持している。よって、発光部７が光をパターン化して発光する構成ではなく、光スイッチ部１５の動作による反射パターンでＩＤパターンが形成される構成である。
【００１６】
図４は本発明の他の実施形態を示す図で、施解錠装置の構成を示す図である。本実施形態では、カメラ動作部２０とカメラ部２１を設けた構成とし、装置本体１のＩＣ部１１にあらかじめ記録されたＩＤパターンとキー２からの反射光のＩＤパターンが不一致の場合、認識部１０よりカメラ動作部に信号を送りカメラ部を動作させてキー挿入部周辺一帯の画像を記録する構成とする。該構成により不正に解錠動作させようとする者の特定が容易になる。
【００１７】
【発明の効果】
本発明の構成によれば、いわゆるドアノブが設置されていないので、無理に解錠することができず、シリンダ錠を破壊してもキーがないと施解錠動作は不可能となるので信頼性が向上する。
【００１８】
ＩＤパターンを施解錠動作毎に書き換えてしまう構成にすることでセキュリティー性がさらに向上する。
【００１９】
カメラ部を設け、ＩＤパターン不一致の際にキー挿入部周辺の画像をおさめる構成としたので、不正に解錠動作させようとする者の特定が容易になる。
【図面の簡単な説明】
【図１】本発明の施解錠装置の構成を示す図。
【図２】本発明の施解錠装置のキーの断面図で、（ａ）は光スイッチ部が非動作状態の図、（ｂ）は光スイッチ部が動作状態の図。
【図３】ＩＤパターンの信号例を示す図。
【図４】本発明の他の実施形態を示す図で、施解錠装置の構成を示す図。
【符号の説明】
１  装置本体
２  キー
３  接点電極部
４  接点電極部
５  キー挿入口
６  シリンダ錠
７  発光部
８  受光部
９  アンプ
１０  認識部
１１  ＩＣ部
１２  施解錠動作部
１３  デッドボルト
１４  ＩＣ部
１５  光スイッチ部
１６  入射光路
１７  反射光路
１７ａ  反射部
１８  接点電極部
１９  接点電極部
２０  カメラ動作部
２１  カメラ部
【図１】
2004293237.tif 000003
【図２】
2004293237.tif 000004
【図３】
2004293237.tif 000005
【図４】
2004293237.tif 000006